(57)【要約】【課題】  複数の有機ＥＬパネルを同一面上に配列しつつ、単位面積当たりに占める発光領域の割合を大きくできる有機ＥＬ装置を提供する。【解決手段】  有機ＥＬ装置は、光を出射する発光領域と、前記発光領域に隣接する少なくとも１つの側部に存する、光を出射しない非発光領域と、を有する有機ＥＬパネル１を２つ以上有し、第１有機ＥＬパネル１Ａと第２有機ＥＬパネル１Ｂが、互いの側部を対向させつつ同一面上に配列され、前記第１有機ＥＬパネル１Ａ及び第２有機ＥＬパネル１Ｂの各側部は、前記配列させた第１有機ＥＬパネル１Ａと第２有機ＥＬパネル１Ｂの間に存する非発光領域の幅Ｗ２が第２有機ＥＬパネル１Ａの非発光領域の幅Ｗ１と第２有機ＥＬパネル１Ｂの非発光領域の幅Ｗ１との合計よりも小さくなるような形状に形成されている。【選択図】  図８
2016225232.tif 000002
【特許請求の範囲】
【請求項１】
光を出射する発光領域と、前記発光領域に隣接する少なくとも１つの側部に存する、光を出射しない非発光領域と、を有する有機エレクトロルミネッセンスパネルを２つ以上有し、
第１有機エレクトロルミネッセンスパネルと第２有機エレクトロルミネッセンスパネルが、互いの側部を対向させつつ同一面上に配列され、
前記第１有機エレクトロルミネッセンスパネル及び第２有機エレクトロルミネッセンスパネルの各側部は、前記配列された第１有機エレクトロルミネッセンスパネルと第２有機エレクトロルミネッセンスパネルの間に存する非発光領域の幅が第１有機エレクトロルミネッセンスパネルの非発光領域の幅と第２有機エレクトロルミネッセンスパネルの非発光領域の幅との合計よりも小さくなるような形状に形成されている、有機エレクトロルミネッセンス装置。
【請求項２】
前記第１有機エレクトロルミネッセンスパネル及び第２有機エレクトロルミネッセンスパネルの各側部が、外側に延出された１つ又は複数の突片部と、前記突片部の外端よりも内側に凹んだ１つ又は複数の凹み部と、をそれぞれ有し、
前記第１有機エレクトロルミネッセンスパネルの突片部を第２有機エレクトロルミネッセンスパネルの凹み部に挿入し、且つ、前記第１有機エレクトロルミネッセンスパネルの凹み部を第２有機エレクトロルミネッセンスパネルの突片部に挿入することにより、前記第１有機エレクトロルミネッセンスパネルと第２有機エレクトロルミネッセンスパネルが同一面上に配列されている、請求項１に記載の有機エレクトロルミネッセンス装置。
【請求項３】
前記第１有機エレクトロルミネッセンスパネルの１つ又は複数の突片部及び第２有機エレクトロルミネッセンスパネルの１つ又は複数の突片部の表面上に、端子がそれぞれ設けられている、請求項２に記載の有機エレクトロルミネッセンス装置。
【請求項４】
前記第１有機エレクトロルミネッセンスパネルの突片部と第２有機エレクトロルミネッセンスパネルの凹み部が、嵌合形状に形成され、前記第１有機エレクトロルミネッセンスパネルの凹み部と第２有機エレクトロルミネッセンスパネルの突片部が、嵌合形状に形成されている、請求項２または３に記載の有機エレクトロルミネッセンス装置。
【請求項５】
前記第１有機エレクトロルミネッセンスパネルの平面視外形と第２有機エレクトロルミネッセンスパネルの平面視外形が、同形である、請求項１乃至４のいずれか一項に記載の有機エレクトロルミネッセンス装置。
【請求項６】
請求項１乃至５のいずれか一項に記載の有機エレクトロルミネッセンス装置を有する照明装置。
【発明の詳細な説明】
【技術分野】
【０００１】
本発明は、有機エレクトロルミネッセンス装置などに関する。
【背景技術】
【０００２】
一般的に、有機エレクトロルミネッセンスパネルは、支持基板と、前記支持基板上に設けられた第１電極と、前記第１電極上に設けられた発光層と、前記発光層上に設けられた第２電極と、を有する。以下、有機エレクトロルミネッセンスを有機ＥＬと記す。前記第１電極の一部及び第２電極の一部は、給電のため、それぞれ端子とされている。以下、第１電極の端子及び第２電極の端子を、それぞれ第１端子及び第２端子といい、両電極の端子を総称して単に端子という。第１端子及び第２端子は、外部電源に繋がる給電用の導電体を接続するため、通常、外部に露出されている。
【０００３】
前記第１端子及び第２端子を通じて外部電源から第１電極及び第２電極に電圧を印加することにより、発光層が発光する。発光する領域（有機ＥＬパネルの発光する領域を、発光領域という）は、発光層のうち第１電極と第２電極とで挟まれた部分である。それ故、有機ＥＬパネルは、例えば、第１端子及び第２端子が設けられた領域は、発光しない領域となっている（有機ＥＬパネルの発光しない領域を、非発光領域という）。
前記有機ＥＬパネルを複数配列することにより、比較的大型の照明装置を構成できる。しかしながら、複数の有機ＥＬパネルを配列すると、隣接する２つの有機ＥＬパネルの間に存する非発光領域の幅が、各有機ＥＬパネル固有の非発光領域の幅の２倍となる。このため、複数の有機ＥＬパネルを配列した場合、単位面積当たりの発光領域の占める割合が小さくなる。
【０００４】
特許文献１には、平面視において隣接する２つの有機ＥＬパネルを有する照明装置であって、１つの有機ＥＬパネルの非発光領域の上に、もう１つの有機ＥＬパネルの非発光領域を重ね合わせた照明装置が開示されている。
しかしながら、特許文献１の照明装置は、隣接する有機ＥＬパネルの非発光領域が上下に重なっている。それ故、少なくともその重なり部分における厚みが個々の有機ＥＬパネルの厚みの約２倍となり、厚み方向における占有スペースが大きくなるという問題点がある。
【先行技術文献】
【特許文献】
【０００５】
【特許文献１】特開２００９−１５８１８８号公報
【発明の概要】
【発明が解決しようとする課題】
【０００６】
本発明の目的は、複数の有機ＥＬパネルを同一面上に配列しつつ、単位面積当たりに占める発光領域の割合を大きくできる有機ＥＬ装置及び照明装置を提供することである。
【課題を解決するための手段】
【０００７】
本発明の有機ＥＬ装置は、光を出射する発光領域と、前記発光領域に隣接する少なくとも１つの側部に存する、光を出射しない非発光領域と、を有する有機ＥＬパネルを２つ以上有し、第１有機ＥＬパネルと第２有機ＥＬパネルが、互いの側部を対向させつつ同一面上に配列され、前記第１有機ＥＬパネル及び第２有機ＥＬパネルの各側部は、前記配列させた第１有機ＥＬパネルと第２有機ＥＬパネルの間に存する非発光領域の幅が第１有機ＥＬパネルの非発光領域の幅と第２有機ＥＬパネルの非発光領域の幅との合計よりも小さくなるような形状に形成されている。
【０００８】
本発明の好ましい有機ＥＬ装置は、前記第１有機ＥＬパネル及び第２有機ＥＬパネルの各側部が、外側に延出された１つ又は複数の突片部と、前記突片部の外端よりも内側に凹んだ１つ又は複数の凹み部と、をそれぞれ有し、前記第１有機ＥＬパネルの突片部を第２有機ＥＬパネルの凹み部に挿入し、且つ、前記第１有機ＥＬパネルの凹み部を第２有機ＥＬパネルの突片部に挿入することにより、前記第１有機ＥＬパネルと第２有機ＥＬパネルが同一面上に配列されている。
本発明の好ましい有機ＥＬ装置は、前記第１有機ＥＬパネルの１つ又は複数の突片部及び第２有機ＥＬパネルの１つ又は複数の突片部の表面上に、端子がそれぞれ設けられている。
本発明の好ましい有機ＥＬ装置は、前記第１有機ＥＬパネルの突片部と第２有機ＥＬパネルの凹み部が、嵌合形状に形成され、前記第１有機ＥＬパネルの凹み部と第２有機ＥＬパネルの突片部が、嵌合形状に形成されている。
本発明の好ましい有機ＥＬ装置は、前記第１有機ＥＬパネルの平面視外形と第２有機ＥＬパネルの平面視外形が、同形である。
【０００９】
本発明の別の局面によれば、照明装置を提供する。
本発明の照明装置は、前記いずれかの有機ＥＬ装置を有する。
【発明の効果】
【００１０】
本発明の有機ＥＬ装置は、複数の有機ＥＬパネルを同一面上に配列しているので、従来の有機ＥＬ装置に比して厚み方向における占有スペースが小さくなる。また、本発明の有機ＥＬ装置は、単位面積当たりに占める発光領域の面積割合が大きくなり、スペースの有効利用を図ることができる。
【図面の簡単な説明】
【００１１】
【図１】第１実施形態に係る有機ＥＬパネルの平面図。
【図２】図１のＩＩ−ＩＩ線で切断した拡大断面図。
【図３】図１のＩＩＩ−ＩＩＩ線で切断した拡大断面図。
【図４】図１のＩＶ−ＩＶ線で切断し且つ中間部を省略した拡大断面図。
【図５】有機ＥＬパネルの製造過程を示す参考平面図。
【図６】第１実施形態に係る有機ＥＬ装置の正面図。
【図７】同有機ＥＬ装置の側面図。
【図８】図６のＶＩＩＩ−ＶＩＩＩ線で切断した断面図。
【図９】第２実施形態に係る有機ＥＬ装置の側面図。
【図１０】（ａ）は、第３実施形態に係る有機ＥＬパネルの平面図、（ｂ）は、その有機ＥＬパネルから構成された有機ＥＬ装置の平面図。
【図１１】（ａ）は、第４実施形態に係る有機ＥＬパネルの平面図、（ｂ）は、その有機ＥＬパネルから構成された有機ＥＬ装置の平面図。
【図１２】（ａ）は、第５実施形態の第１例に係る有機ＥＬパネルの平面図、（ｂ）は、その有機ＥＬパネルから構成された有機ＥＬ装置の平面図。
【図１３】（ａ）は、第５実施形態の第２例に係る有機ＥＬパネルの平面図、（ｂ）は、その有機ＥＬパネルから構成された有機ＥＬ装置の平面図。
【図１４】（ａ）は、第５実施形態の第３例に係る有機ＥＬパネルの平面図、（ｂ）は、その有機ＥＬパネルから構成された有機ＥＬ装置の平面図。
【図１５】（ａ）は、第６実施形態に係る有機ＥＬパネルの平面図、（ｂ）は、その有機ＥＬパネルから構成された有機ＥＬ装置の平面図。
【発明を実施するための形態】
【００１２】
以下、本発明について、図面を参照しつつ説明する。ただし、各図に表された厚み及び長さなどの寸法は、実際のものとは異なっていることに留意されたい。
本明細書において、有機ＥＬパネルの表面は、板状の有機ＥＬパネル又は各層の一方の面を指し、有機ＥＬパネルの裏面は、表面とは反対側の面を指す。平面視は、有機ＥＬ装置の表面に対して垂直に見ることをいい、平面視外形は、平面視の視線の方向にある対象部材の外形をいう。また、「複数」と「２つ以上」は、表現方法が異なるだけで両者は同じ意味である。本明細書において、用語の頭に、「第１」、「第２」を付す場合があるが、この第１などは、用語を区別するためだけに付加されたものであり、その順序や優劣などの特別な意味を持たない。本明細書において、「ＰＰＰ〜ＱＱＱ」という表記は、「ＰＰＰ以上ＱＱＱ以下」を意味する。
【００１３】
本発明の有機ＥＬ装置は、２つ以上の有機ＥＬパネルから構成されている。
本発明の有機ＥＬ装置は、必要に応じて、前記各機ＥＬパネルに給電するための配線部材を有する。
以下、有機ＥＬパネルの構成を説明した後、有機ＥＬ装置を説明する。
【００１４】
［有機ＥＬパネルの第１実施形態］
図１は、有機ＥＬパネル１を表面側から見た平面図である。有機ＥＬパネル１がトップエミッション型である場合には、その表面は、光が出射する面を指し、有機ＥＬパネル１がボトムエミッション型である場合には、その表面は、光が出射する面とは反対側の面を指す。なお、本発明の有機ＥＬパネル１は、トップエミッション型、ボトムエミッション型、又は、両面発光型の何れでもよい。
図２及び図３は、図１の有機ＥＬパネル１を、端子を有する箇所にて第１方向と平行な線で切断した断面を拡大した図である。図４は、図１の有機ＥＬパネル１を、端子を有さない箇所にて第２方向と平行な線で切断した断面を拡大した図である。なお、図４において、断面構造に変化がない中間部を省略している。前記第１方向は、有機ＥＬパネル１の任意の１つの方向であり、前記第２方向は、有機ＥＬパネル１の面内において前記第１方向と直交する方向である。
【００１５】
＜有機ＥＬパネルの構成＞
図１乃至図４において、有機ＥＬパネル１は、支持基板２３と、第１端子２１ａを有する第１電極２１と、発光層を有する有機層２４と、第２端子２２ａを有する第２電極２２と、封止層２５と、を有し、これらがこの順で積層されている。前記支持基板２３などの各層は、それぞれ直接的に密着した状態で積層されていてもよく、或いは、各層間又は前記各層から任意に選ばれる２層間に任意の機能層が介在した状態で積層されていてもよい。前記有機ＥＬパネル１は、可撓性を有することが好ましい。本明細書において、可撓性は、人力で容易に湾曲させることができることをいう。もっとも、本発明においては、可撓性を有さない有機ＥＬパネル１を用いることも可能である。
【００１６】
前記支持基板２３の平面視形状は、特に限定されず、例えば、四角形状などが挙げられる。前記四角形状は、正方形状や長方形状のような矩形状、平行四辺形状などが挙げられる。図示例では、支持基板２３は、平面視長方形状に形成されている。
前記有機層２４は、発光層を含み、必要に応じて、正孔注入層、正孔輸送層、電子輸送層及び電子注入層などから選ばれる１つの層を含む。有機層２４の層構成は、後述する。第１端子２１ａ及び第２端子２２ａから第１電極２１及び第２電極２２に電圧を印加することにより、発光領域が発光する。前記発光領域は、有機層２４のうち第１電極２１と第２電極２２で挟まれた領域である。発光層を含む有機層２４の平面視形状は、特に限定されず、矩形状や平行四辺形状のような四角形状などが挙げられる。図示例では、支持基板２３は、第１方向を短辺とし且つ第２方向を長辺とする平面視長方形状に形成されている。
【００１７】
第１電極２１は、支持基板２３と有機層２４の間に設けられ、第１電極２１の一部は、外部に露出されている。この露出部分が第１端子２１ａである。第２電極２２は、有機層２４と封止層２５の間に設けられ、第２電極２２の一部は、外部に露出されている。この露出部分が第２端子２２ａである。なお、図示例では、第１電極２１及び第２電極２２は、それぞれ１つの電極層から構成されているが、第１電極２１及び第２電極２２は、それぞれ複数の電極層を組み合わせて構成されていてもよい。前記第１端子２１ａは、陽極又は陰極の端子であり、第２端子２２ａは、その反対極の端子である。例えば、第１端子２１ａは、陽極（＋）であり、第２端子２２ａは、陰極（−）である。
図１の平面図において、第１端子２１ａ及び第２端子２２ａを判り易くするために、第１端子２１ａに細線からなる右斜線を付加し、第２端子２２ａに細線からなる左斜線を付加している（以下、同様に、他の平面図についても、第１端子２１ａ及び第２端子２２ａに細斜線を表している場合がある）。
なお、支持基板２３が導電性を有する場合には、電気的な短絡を防止するため、支持基板２３の表面上に絶縁層（図示せず）が設けられる。
封止層２５は、第２端子２２ａを除く第２電極２２の表面に積層されている。好ましくは、図２乃至図４に示すように、封止層２５は、有機層２４及び第２電極２２の各端面に密着されている。
【００１８】
発光層を含む有機層２４のうち、第１電極２１と第２電極２２とで挟まれた部分が、光を出射する発光領域である。図１の平面図において、発光領域を判り易くするために、発光領域の範囲に無数のドットを付加している（以下、同様に、他の平面図についても、発光領域に無数のドットを表している場合がある）。
有機ＥＬパネル１の平面視で、発光領域以外は、光を出射しない非発光領域である。
有機ＥＬパネル１においては、前記非発光領域が発光領域に隣接する少なくとも１つの側部に存在している。
前記側部は、後述する有機ＥＬ装置において、第１有機ＥＬパネルと第２有機ＥＬパネルの間に存する非発光領域の幅が第１有機ＥＬパネルの非発光領域の幅と第２有機ＥＬパネルの非発光領域の幅との合計よりも小さくなるような形状に形成されている。
本実施形態では、前記非発光領域は、前記発光領域に隣接する２つの側部３１，３２にそれぞれ存する。以下、一方の側部３１を第１側部３１といい、もう一方の側部３２を第２側部３２という。
具体的には、第１実施形態の有機ＥＬパネル１は、その中央部が発光領域とされ、その中央部を挟んで対向する第１側部３１と第２側部３２がそれぞれ非発光領域とされている。第１側部３１及び第２側部３２は、支持基板２３の第２方向に延在されている。
第１側部３１及び第２側部３２は、それぞれ凹凸状に形成されている。第１側部３１は、外側に延出された複数の突片部４と、前記突片部４の外端４ａよりも内側に凹んだ複数の凹み部５と、を有する。第１側部３１の複数の突片部４と凹み部５は、交互に設けられている。第２側部３２も、外側に延出された複数の突片部４と、前記突片部４の外端４ａよりも内側に凹んだ複数の凹み部５と、を有する。第２側部３２の複数の突片部４と凹み部５も、交互に設けられている。なお、突片部４は、平面視で、凹み部５よりも外側に延出された凸部分であり、反対に、凹み部５は、平面視で、突片部４よりも内側に凹んだ凹部分である。このように、突片部４と凹み部５は、何れか一方を基準にした相対的な形状部分である。
各凹み部５は、図２及び図３に示すように、その内端５ａが封止層２５の周端よりも外側に出るように形成されていてもよく、特に図示しないが、その内端５ａが封止層２５の周端に一致するように形成されていてもよい。
【００１９】
第１側部３１及び第２側部３２の各突片部４の平面視外形は、特に限定されず、それぞれ独立して、図示したような矩形状のほか、矩形状以外の四角形状、弧状、三角形状などでもよい。
第１側部３１及び第２側部３２の各凹み部５の平面視外形は、特に限定されず、それぞれ独立して、図示したような矩形状のほか、矩形状以外の四角形状、弧状、三角形状などでもよい。
好ましくは、第１側部３１の各突片部４の平面視外形は、同形同大に形成され、第１側部３１の各凹み部５の平面視外形は、同形同大に形成されている。好ましくは、第２側部３２の各突片部４の平面視外形は、同形同大に形成され、第２側部３２の各凹み部５の平面視外形は、同形同大に形成されている。
より好ましくは、第１側部３１の突片部４と凹み部５の平面視外形は、嵌合形状に形成されている。より好ましくは、第２側部３２の突片部４と凹み部５の平面視外形は、嵌合形状に形成されている。なお、嵌合形状は、突片部４を凹み部５に挿入した際に、平面視において突片部４の外形と凹み部５の外形が接する又は近接するように、相対的に合致する形状をいう。
第１側部３１の平面視外形と第２側部３２の平面視外形は、対称形でもよく、非対称形でもよい。前記対称形としては、点対称形、線対称形などが挙げられる。点対称形における対称の中心は、有機ＥＬパネル１の重心であり、線対称形における対称軸は、有機ＥＬパネル１の第１方向の長さの中心点を通り且つ第２方向と平行な直線である。図示例では、第１側部３１と第２側部３２は、点対称形に形成されている。
【００２０】
前記第１電極２１の第１端子２１ａは、例えば、有機ＥＬパネル１の第１側部３１の表面上に設けられ、且つ、第２電極２２の第２端子２２ａは、第２側部３２の表面上に設けられている。
詳しくは、第１端子２１ａは、第１側部３１の少なくとも各突片部４の表面上に設けられ、第２端子２２ａは、第２側部３２の少なくとも各突片部４の表面上に設けられている。図示例では、各突片部４の表面上において、第１端子２１ａ及び第２端子２２ａは、各突片部４の外端４ａに至らずにその外端４ａよりも少し内側の位置まで設けられている。もっとも、第１端子２１ａ及び第２端子２２ａは、各突片部４の外端４ａに至るまで設けられていてもよい（図示せず）。
また、凹み部５の内端５ａが封止層２５の周端よりも外側に出ている図示例の場合には、第１端子２１ａ及び第２端子２２ａが封止層２５の周端と各凹み部５の内端５ａの間にもそれぞれ設けられていてもよい。この場合においても、第１端子２１ａ及び第２端子２２ａは、図２及び図３に示すように、各凹み部５の内端５ａに至らずにその内端５ａよりも少し内側の位置まで設けられていてもよく、特に図示しないが、各凹み部５の内端５ａに至るまで設けられていてもよい。
このように第１端子２１ａ及び第２端子２２ａが各突片部４の表面上及び各凹み部５に対応する表面上にそれぞれ設けられていることにより、第１端子２１ａ及び第２端子２２ａの長さが、発光層を含む有機層２４の第２方向長さとほぼ同じとなる。有機層２４と同じ長さの第１端子２１ａ及び第２端子２２ａを有する有機ＥＬパネル１において、第１端子２１ａ及び第２端子２２ａの長さ方向全体に且つ略均一に給電することにより、発光領域の輝度ムラを抑制できる。
有機ＥＬパネル１の第１及び第２側部３１，３２における非発光領域の幅Ｗ１（図１参照）は、特に限定されない。もっとも、それらが、余りに小さいと、それに比例して第１端子２１ａ及び第２端子２２ａの幅が小さくなりすぎるおそれがあり、余りに大きいと、相対的に発光領域の面積割合が小さくなる。このような観点から、非発光領域の幅Ｗ１は、例えば、２ｍｍ〜１０ｍｍが好ましく、２ｍｍ〜５ｍｍがより好ましい。なお、前記非発光領域の幅Ｗ１は、発光領域の周端と突片部４の外端４ａとの間の長さをいう。
【００２１】
＜支持基板＞
前記支持基板２３は、可撓性を有するシート状物である。前記支持基板２３は、透明又は不透明の何れでもよい。ただし、ボトムエミッション型の有機ＥＬパネル１を構成する場合には、透明な支持基板２３が用いられる。トップエミッション型の有機ＥＬパネル１を構成する場合には、透明な支持基板２３又は不透明の支持基板２３の何れを用いてもよい。なお、本明細書において透明は、無色透明又は有色透明を意味する。前記透明の指標としては、例えば、全光線透過率７０％以上、好ましくは８０％以上が例示できる。ただし、前記全光線透過率は、ＪＩＳ  Ｋ７１０５（プラスチックの光学的特性試験方法）に準拠した測定法によって測定される。
【００２２】
本発明において、支持基板２３は、水蒸気や酸素などの侵入を防止できるガスバリア性に優れている基板を用いることが好ましい。例えば、支持基板２３は、例えば、金属シート、樹脂シート、ガラスシート、セラミックシートなどから適宜選択して用いることができる。なお、本明細書において、シートとは、一般にフィルムと呼ばれるものを含む。前記金属シートは、特に限定されないが、例えば、ステンレス、銅、チタン、アルミニウム、合金などからなるフレキシブルな薄板が挙げられる。前記樹脂シートは、特に限定されないが、例えば、ポリエチレンテレフタレート（ＰＥＴ）、ポリエチレンナフタレート（ＰＥＮ）、ポリブチレンテレフタレート（ＰＢＴ）等のポリエステル系樹脂；ポリエチレン（ＰＥ）、ポリプロピレン（ＰＰ）、ポリメチルペンテン（ＰＭＰ）、エチレン−プロピレン共重合体、エチレン−酢酸ビニル共重合体（ＥＶＡ）等のα−オレフィンをモノマー成分とするオレフィン系樹脂；ポリ塩化ビニル（ＰＶＣ）；酢酸ビニル系樹脂；ポリカーボネート（ＰＣ）；ポリフェニレンスルフィド（ＰＰＳ）；ポリアミド（ナイロン）、全芳香族ポリアミド（アラミド）等のアミド系樹脂；ポリイミド系樹脂；ポリエーテルエーテルケトン（ＰＥＥＫ）などからなるフレキシブルな合成樹脂シートが挙げられる。良好なガスバリア性を付与できることから、前記樹脂シートの少なくとも一方面に公知のガスバリア層が積層されていてもよい。
前記金属シート及び／又は樹脂シートなどから形成される支持基板２３の厚みは、特に限定されないが、好ましくは１０μｍ〜２００μｍである。このような厚みの支持基板２３は、可撓性に優れる上、容易に切断できるので、上述のような突片部４及び凹み部５を簡単に形成できる。
また、駆動時に有機ＥＬパネル１の温度上昇を防止するため、前記支持基板２３は、放熱性に優れているものが好ましい。なお、支持基板２３として、導電性基板（金属シートなど）を用いる場合には、対面する電極に対して絶縁するため、前記支持基板２３の表面に絶縁層が設けられる。
【００２３】
＜第１電極、有機層及び第２電極＞
前記第１電極２１は、陽極又は陰極のいずれでもよい。例えば、第１電極２１は陽極である。
前記第１電極２１（陽極）の形成材料は、特に限定されないが、例えば、インジウム錫酸化物（ＩＴＯ）；酸化珪素を含むインジウム錫酸化物（ＩＴＳＯ）；アルミニウム；金；白金；ニッケル；タングステン；銅；合金；などが挙げられる。ボトムエミッション型の有機ＥＬパネル１を構成する場合には、透明な第１電極２１が用いられる。
第１電極２１の厚みは、特に限定されないが、通常、０．０１μｍ〜１．０μｍである。
【００２４】
有機層２４は、発光層を含む少なくとも２つの層からなる積層構造である。有機層２４の構造としては、例えば、（Ａ）正孔輸送層、発光層及び電子輸送層の３つの層を含む構造、（Ｂ）正孔輸送層、発光層及び電子注入層の３つの層を含む構造、（Ｃ）正孔輸送層及び発光層の２つの層を含む構造、（Ｄ）発光層及び電子輸送層の２つの層を含む構造、などが挙げられる。
前記（Ｂ）及び（Ｃ）の有機層２４は、発光層が電子輸送層を兼用している。前記（Ｄ）の有機層２４は、発光層が正孔輸送層を兼用している。
本発明に用いられる有機層２４は、前記（Ａ）〜（Ｄ）の何れの構造であってもよい。
以下、第１電極２１が陽極である場合の、前記（Ａ）の構造を有する有機層２４について説明する。
【００２５】
正孔輸送層は、第１電極２１の表面に設けられる。もっとも、有機ＥＬパネル１の発光効率を低下させないことを条件として、第１電極２１と正孔輸送層の間にこれら以外の任意の機能層が介在されていてもよい。
例えば、正孔注入層が、第１電極２１の表面に設けられ、その正孔注入層の表面に正孔輸送層が設けられていてもよい。正孔注入層は、陽極層から正孔輸送層へ正孔の注入を補助する機能を有する層である。
【００２６】
正孔輸送層の形成材料は、正孔輸送機能を有する材料であれば特に限定されない。正孔輸送層の形成材料としては、４，４’，４”−トリス（カルバゾール−９−イル）−トリフェニルアミン（略称：ＴｃＴａ）などの芳香族アミン化合物；１，３−ビス（Ｎ−カルバゾリル）ベンゼンなどのカルバゾール誘導体；Ｎ，Ｎ’−ビス（ナフタレン−１−イル）−Ｎ，Ｎ’−ビス（フェニル）ベンジジン(略称：α-ＮＰＤ)、Ｎ，Ｎ’−ビス（ナフタレン−１−イル）−Ｎ，Ｎ’−ビス（フェニル）−９，９’−スピロビスフルオレン（略称：Ｓｐｉｒｏ−ＮＰＢ）などのスピロ化合物；高分子化合物；などが挙げられる。正孔輸送層の形成材料は、１種単独で又は２種以上を併用してもよい。また、正孔輸送層は、２層以上の多層構造であってもよい。
正孔輸送層の厚みは、特に限定されないが、駆動電圧を下げるという観点から、１ｎｍ〜５００ｎｍが好ましい。
【００２７】
発光層は、正孔輸送層の表面に設けられる。
発光層の形成材料は、発光性を有する材料であれば特に限定されない。発光層の形成材料としては、例えば、低分子蛍光発光材料、低分子燐光発光材料などの低分子発光材料を用いることができる。
【００２８】
低分子発光材料としては、例えば、４，４’−ビス（２，２’−ジフェニルビニル）−ビフェニル（略称：ＤＰＶＢｉ）などの芳香族ジメチリデン化合物；５−メチル−２−［２−［４−（５−メチル−２−ベンゾオキサゾリル）フェニル］ビニル］ベンゾオキサゾールなどのオキサジアゾール化合物；３−（４−ビフェニルイル）−４−フェニル−５−ｔ−ブチルフェニル−１，２，４−トリアゾールなどのトリアゾール誘導体；１，４−ビス（２−メチルスチリル）ベンゼンなどのスチリルベンゼン化合物；ベンゾキノン誘導体；ナフトキノン誘導体；アントラキノン誘導体；フルオレノン誘導体；アゾメチン亜鉛錯体、トリス（８−キノリノラト）アルミニウム（Ａｌｑ３）などの有機金属錯体；などが挙げられる。
【００２９】
また、発光層の形成材料として、ホスト材料中に発光性のドーパント材料をドープしたものを用いてもよい。
前記ホスト材料としては、例えば、上述の低分子発光材料を用いることができ、これ以外に、１，３，５−トリス（カルバゾ−９−イル）ベンゼン（略称：ＴＣＰ）、１，３−ビス（Ｎ−カルバゾリル）ベンゼン（略称：ｍＣＰ）、２，６−ビス（Ｎ−カルバゾリル）ピリジン、９，９−ジ（４−ジカルバゾール−ベンジル）フルオレン（略称：ＣＰＦ）、４，４’−ビス（カルバゾール−９−イル）−９，９−ジメチル−フルオレン（略称：ＤＭＦＬ−ＣＢＰ）などのカルバゾール誘導体などを用いることができる。
【００３０】
前記ドーパント材料としては、例えば、スチリル誘導体；ペリレン誘導体；トリス（２−フェニルピリジル）イリジウム（ＩＩＩ）（Ｉｒ（ｐｐｙ）３）、トリス（１−フェニルイソキノリン）イリジウム（ＩＩＩ）（Ｉｒ（ｐｉｑ）３）、ビス（１−フェニルイソキノリン）（アセチルアセトナト）イリジウム（ＩＩＩ）（略称：Ｉｒ（ｐｉｑ）２（ａｃａｃ））などの有機イリジウム錯体などの燐光発光性金属錯体；などを用いることができる。
さらに、発光層の形成材料には、上述の正孔輸送層の形成材料、後述の電子輸送層の形成材料、各種添加剤などが含まれていてもよい。
発光層の厚みは、特に限定されないが、例えば、２ｎｍ〜５００ｎｍが好ましい。
【００３１】
電子輸送層は、発光層の表面に設けられる。もっとも、有機ＥＬパネル１の発光効率を低下させないことを条件として、第２電極２２と電子輸送層の間にこれら以外の任意の機能層が介在されていてもよい。
例えば、電子注入層が、電子輸送層の表面に設けられ、電子注入層の表面に、第２電極２２が設けられていてもよい。電子注入層は、前記第２電極２２から電子輸送層へ電子の注入を補助する機能を有する層である。
【００３２】
電子輸送層の形成材料は、電子輸送機能を有する材料であれば特に限定されない。電子輸送層の形成材料としては、例えば、トリス（８−キノリノラト）アルミニウム（略称：Ａｌｑ３）、ビス（２−メチル−８−キノリノラト）（４−フェニルフェノラト）アルミニウム（略称：ＢＡｌｑ）などの金属錯体；２，７−ビス［２−（２，２’−ビピリジン−６−イル）−１，３，４−オキサジアゾ−５−イル］−９，９−ジメチルフルオレン（略称：Ｂｐｙ−ＦＯＸＤ）、２−（４−ビフェニリル）−５−（４−ｔｅｒｔ−ブチルフェニル）−１，３，４−オキサジアゾール（略称：ＰＢＤ）、１，３−ビス［５−（ｐ−ｔｅｒｔ−ブチルフェニル）−１，３，４−オキサジアゾール−２−イル］ベンゼン（略称：ＯＸＤ−７）、２，２’,２’'−(１，３，５−フェニレン)−トリス（１−フェニル−１Ｈ−ベンズイミダゾール）（略称：ＴＰＢｉ）などの複素芳香族化合物；ポリ（２，５−ピリジン−ジイル）（略称：ＰＰｙ）などの高分子化合物；などが挙げられる。電子輸送層の形成材料は、１種単独で又は２種以上を併用してもよい。また、電子輸送層は、２層以上の多層構造であってもよい。
電子輸送層の厚みは、特に限定されないが、駆動電圧を下げるという観点から、１ｎｍ〜５００ｎｍが好ましい。
【００３３】
第２電極２２は、陰極又は陽極の何れでもよい。例えば、第２電極２２は陰極である。
前記第２電極２２の形成材料は、特に限定されないが、トップエミッション型の有機ＥＬパネル１を構成する場合には、透明な第２電極２２が用いられる。透明及び導電性を有する第２電極２２の形成材料としては、インジウム錫酸化物（ＩＴＯ）；酸化珪素を含むインジウム錫酸化物（ＩＴＳＯ）；アルミニウムなどの導電性金属を添加した酸化亜鉛（ＺｎＯ：Ａｌ）；マグネシウム−銀合金などが挙げられる。第２電極２２の厚みは、特に限定されないが、通常、０．０１μｍ〜１．０μｍである。
【００３４】
＜封止層＞
封止層２５は、防湿性を有する層である。トップエミッション型の有機ＥＬパネル１を構成する場合には、透明な封止層２５が用いられる。
封止層２５の形成材料は、防湿性を有するものであれば特に限定されない。封止層２５の形成材料としては、例えば、エチレンテトラフルオロエチル共重合体（ＥＴＦＥ）、高密度ポリエチレン（ＨＤＰＥ）、延伸ポリプロピレン（ＯＰＰ）、ポリスチレン（ＰＳ）、ポリメチルメタクリレート（ＰＭＭＡ）、延伸ナイロン（ＯＮｙ）、ポリエチレンテレフタレート（ＰＥＴ）、ポリカーボネート（ＰＣ）、ポリイミド、ポリエーテルスチレン（ＰＥＳ）、ポリエチレンナフタレート（ＰＥＮ）などの合成樹脂；窒化ケイ素（ＳｉＮ）、炭化ケイ素（ＳｉＣ）、炭化酸化ケイ素（ＳｉＯＣ）、窒化炭化酸化ケイ素（ＳｉＯＣＮ）などのＳｉを含む窒化物などを好適に用いることができる。
封止層２５の厚みは、特に限定されない。前記合成樹脂からなる封止層２５の場合には、その厚みは、例えば、０．２μｍ〜５０μｍであり、好ましくは、０．２μｍ〜１０μｍである。前記窒化物からなる封止層２５の場合には、その厚みは、例えば、例えば、５０ｎｍ〜２０００ｎｍであり、好ましくは、１００ｎｍ〜１０００ｎｍである。
封止層２５は、単層構造であってもよく、他層を含んだ多層構造であってもよい。封止層２５の形成方法は特に限定されないが、単層の封止層２５は、例えば、蒸着法によって形成され、より好ましくは、プラズマアシスト蒸着法によって形成される。
封止層２５が多層構造である場合、封止層２５は、第２電極２２上に積層された接着層と、前記接着層上に積層された封止板と、を有する（２層構造を有する）ことが好ましい。封止板の形成材料は特に限定されず、上述した封止層２５の形成材料である合成樹脂を用いたフィルムや、ガラス板などが挙げられる。接着層の形成材料は、特に限定されない。例えば、接着層として、熱硬化型接着剤又は光硬化型接着剤などの従来公知の接着剤を用いることができる。
また、封止層２５が多層構造である場合、封止層２５は、第２電極２２上に積層された保護膜と、前記保護膜上に積層された接着層と、前記接着層上に積層された封止板と、を有する構造でもよい。保護膜は、有機層２４が傷つくことを防止すると共に、水分や酸素などの侵入を防止する機能を有する膜である。
【００３５】
［有機ＥＬパネルの製造方法］
本発明の有機ＥＬパネルは、代表的には、次の２つ方法にて製造できる。
第１の方法は、図５（ａ）に示すように、第１側部３１及び第２側部３２が突片部４と凹み部５を交互に有する凹凸状に切り取られた支持基板２３を準備する。この予め凹凸状に形成された支持基板２３に、図２乃至図４に示すような、第１端子２１ａを有する第１電極２１、有機層２４、第２端子２２ａを有する第２電極２２、封止層２５を順次形成することにより、上記有機ＥＬパネル１を作製できる。
第２の方法は、図５（ｂ）に示すように、所要形状の支持基板２３に、平面視直線帯状に延びる第１端子２１ａを有する第１電極２１、有機層２４、第２端子２２ａを有する第２電極２２、封止層２５を順次形成する。この第１端子２１ａ及び第２端子２２ａが設けられた支持基板２３の第１側部３１及び第２側部３２を、凹凸状に切り取ることにより、上記有機ＥＬパネル１を作製できる。図５（ｂ）の一点鎖線は、その切り取り線を示す。
支持基板２３の第１側部３１及び第２側部３２を凹凸状に切り取る方法は、特に限定されず、例えば、パンチ・ダイ又はトムソン刃を用いた打ち抜き、ギロチン刃などを用いた裁断などが挙げられる。
なお、前記第１の方法及び第２の方法は、長尺状の支持基板を用いて複数の有機ＥＬパネルを連続的に製造する方式（いわゆるロールツーロール方式）、又は、枚葉状の支持基板を用いて個々に有機ＥＬパネルを製造する方式（いわゆるバッチ方式）の何れにも適用できる。
【００３６】
［有機ＥＬ装置の第１実施形態］
図６は、第１実施形態に係る有機ＥＬ装置１０を表面側から見た正面図であり、図７は、同有機ＥＬ装置１０の右側面図である。図８は、図６のＶＩＩＩ−ＶＩＩＩ線で切断した断面図である。図６の正面図において、発光領域に無数のドットを付加し、第１端子２１ａ及び第２端子２２ａに細斜線を付加している。
なお、有機ＥＬパネル１は、上記で説明したので、有機ＥＬ装置の各実施形態の欄において、有機ＥＬパネル１の説明を省略し、それらの用語及び符号をそのままを援用する場合がある。
【００３７】
図６乃至図８において、本発明の有機ＥＬ装置１０は、２つ以上の有機ＥＬパネル１を有する。好ましくは、２つ以上の有機ＥＬパネル１の平面視外形は、同形である。より好ましくは、図示例のように、２つ以上の有機ＥＬパネルは、全て同一のものである。図示例では、便宜上、２つの有機ＥＬパネル１から構成される有機ＥＬ装置１０を示している。１つの有機ＥＬパネル１を第１有機ＥＬパネル１Ａといい、もう１つを第２有機ＥＬパネル１Ｂという。
第１有機ＥＬパネル１Ａと第２有機ＥＬパネル１Ｂは、その平面視外形が同形でもよく、異なっていてもよい。好ましくは、第１有機ＥＬパネル１Ａと第２有機ＥＬパネル１Ｂの平面視外形は、同形である。より好ましくは、図示例のように、第１有機ＥＬパネル１Ａ及び第２有機ＥＬパネル１Ｂは、同一のものである。
第１有機ＥＬパネル１Ａ及び第２有機ＥＬパネル１Ｂにおいては、それぞれ、上述のように、第１側部３１及び第２側部３２に複数の突片部４と凹み部５が交互に設けられている。前記第１有機ＥＬパネル１Ａの突片部４と第２有機ＥＬパネル１Ｂの凹み部５は、嵌合形状に形成され、前記第１有機ＥＬパネル１Ａの凹み部５と第２有機ＥＬパネル１Ｂの突片部４は、嵌合形状に形成されている。
【００３８】
第１有機ＥＬパネル１Ａと第２有機ＥＬパネル１Ｂが互いの側部を対向させつつ同一面上に配列されることにより、有機ＥＬ装置１０が構成されている。３つ以上の有機ＥＬパネル１から構成される有機ＥＬ装置は、第３以降の有機ＥＬパネルが第２有機ＥＬパネルの側方に順次配列される。
具体的には、第１有機ＥＬパネル１Ａの第２側部３２と第２有機ＥＬパネル１Ｂの第１側部３１が、対向されている。前記第１有機ＥＬパネル１Ａの第２側部３２の突片部４を第２有機ＥＬパネル１Ｂの第１側部３１の凹み部５に挿入し、且つ、前記第１有機ＥＬパネル１Ａの第２側部３２の凹み部５を第２有機ＥＬパネル１Ｂの突片部４に挿入することにより、前記第１有機ＥＬパネル１Ａと第２有機ＥＬパネル１Ｂが同一面上に配列されている。突片部４と凹み部５は嵌合形状に形成されているので、第１有機ＥＬパネル１Ａの突片部４及び凹み部５と第２有機ＥＬパネル１Ｂの凹み部５及び突片部４は、ほとんど隙間を生じることなく接する又は近接している。このように嵌合形状に形成されていることにより、互いに対向する第１側部３１及び第２側部３２に、比較的面積の大きい第１端子２１ａ及び第２端子２２ａを形成できる。
第１有機ＥＬパネル１Ａの突片部４及び凹み部５が第２有機ＥＬパネル１Ｂの凹み部５及び突片部４に挿入されているので、前記配列された第１有機ＥＬパネル１Ａと第２有機ＥＬパネル１Ｂの間に存する非発光領域の幅Ｗ２は、第１有機ＥＬパネル１Ａの非発光領域の幅Ｗ１と第２有機ＥＬパネル１Ｂの非発光領域の幅Ｗ１との合計よりも小さい。
図示例では、第１有機ＥＬパネル１Ａと第２有機ＥＬパネル１Ｂは、ベース部材６の起立部６１の添付面６１ａに添付されている。ベース部材５は、有機ＥＬパネル１を２つ以上並べて添付可能な添付面を有する起立部６１と、起立部６１を起立状態で支持するための設置部６２と、を有する。起立部６１と設置部６２は、一体的に形成されている。もっとも、起立部６１と設置部６２を別体で形成し、両者を連結して一体化してもよい。起立部６１は、設置部６２に対して傾斜しており、起立部６１の添付面６１ａは、平坦面とされている。
第１有機ＥＬパネル１Ａと第２有機ＥＬパネル１Ｂは、前記平坦面である添付面６１ａに、接着剤や粘着テープなどの固定手段（図示せず）を用いて固定されている。
【００３９】
本発明の有機ＥＬ装置１０においては、図８に示すように、前記配列された第１有機ＥＬパネル１Ａと第２有機ＥＬパネル１Ｂが上下にずれることなく添付面に対して平行状態となる。このため、有機ＥＬ装置１０においては、それを構成する各有機ＥＬパネル１（第１及び第２有機ＥＬパネル１Ａ，１Ｂ）が歪むことを防止できる。
また、本発明の有機ＥＬ装置１０は、各有機ＥＬパネル１（第１及び第２有機ＥＬパネル１Ａ，１Ｂ）が部分的に上下に重ならないので、厚みが大きい部分を生じることも防止できる。このため、本発明の有機ＥＬ装置１０は、その厚み方向における占有スペースが小さく、従来の装置のように嵩張ることもない。
【００４０】
かかる有機ＥＬ装置１０は、外部電源に繋がる給電用の導電体（図示せず）を第１有機ＥＬパネル１Ａ及び第２有機ＥＬパネル１Ｂの第１端子２１ａ及び第２端子２２ａに接続することにより、各有機ＥＬパネル１の発光領域が発光する。各導電体は、各端子２１ａ，２２ａの長さ方向全体に接するように設けられることが好ましい。なお、第１有機ＥＬパネル１Ａと第２有機ＥＬパネル１Ｂは、第２側部３２と第１側部３１を対向させて同一面上に配列されているので、第１有機ＥＬパネル１Ａの第２端子２２ａと第２有機ＥＬパネル１Ｂの第１端子２１ａに跨がって、１つの導電体を接続してもよい。この場合、外部電源の陽極（又は陰極）に繋がる導電体を第１有機ＥＬパネル１Ａの第１端子２１ａに且つ外部電源の陰極（又は陽極）に繋がる導電体を第２有機ＥＬパネル２Ａの第２端子２２ａにそれぞれ接続することにより、複数の有機ＥＬパネル１が直列回路で繋がれた有機ＥＬ装置１０を構成できる。
本発明の有機ＥＬ装置１０は、配列された第１有機ＥＬパネル１Ａと第２有機ＥＬパネル１Ｂの間に存する非発光領域の幅Ｗ２が第１有機ＥＬパネル１Ａの非発光領域の幅Ｗ１と第２有機ＥＬパネル１Ｂの非発光領域の幅Ｗ１との合計よりも小さい。かかる有機ＥＬ装置１０は、その装置の非発光領域の幅Ｗ２が小さいので、単位面積当たりに占める発光領域の面積割合が大きくなる。よって、本発明の有機ＥＬ装置１０は、比較的明るく、例えば、照明装置やディスプレイ装置の光源などとして利用できる。
【００４１】
なお、本発明の有機ＥＬ装置は、上記第１実施形態に限られず、本発明の意図する範囲で適宜設計変更できる。以下、本発明の他の実施形態を説明するが、その説明に於いて、主として上記第１実施形態と異なる構成及び効果について説明し、上記第１実施形態と同様の構成などについては、（それを説明したものとして）用語又は符号をそのまま援用し、その構成の説明を省略する場合がある。
【００４２】
［有機ＥＬ装置の第２実施形態］
上記第１実施形態の有機ＥＬ装置１０は、２つ以上の有機ＥＬパネル１が平坦面に添付されているが、図９に示すように、２つ以上の有機ＥＬパネル１が曲面に並べて添付されていていてもよい。かかる有機ＥＬ装置１０も、各有機ＥＬパネル１が同一面上に配列されている点で、上記第１実施形態の有機ＥＬ装置と同様である。
【００４３】
［有機ＥＬ装置の第３実施形態］
上記第１実施形態の有機ＥＬ装置１０は、第１側部３１及び第２側部３２が支持基板２３の第２方向（長辺）に延在された有機ＥＬパネル１から構成されているが、例えば、図１０（ａ）に示すように、第１側部３１及び第２側部３２が支持基板２３の第１方向（短辺）に延在された有機ＥＬパネル１から構成されてもよい。この場合、その短辺に存在する第１側部３１及び第２側部３２に、突片部４と凹み部５がそれぞれ形成される。第３実施形態の有機ＥＬパネル１の複数を、図１０（ｂ）に示すように、第１側部３１と第２側部３２を対向させて配列することにより、非発光領域の幅Ｗ２が第１有機ＥＬパネル１Ａの非発光領域の幅Ｗ１と第２有機ＥＬパネル１Ｂの非発光領域の幅Ｗ１との合計よりも小さい有機ＥＬ装置１０を構成できる。
【００４４】
［有機ＥＬ装置の第４実施形態］
上記第１実施形態の有機ＥＬ装置１０は、突片部４と凹み部５が嵌合形状に形成された有機ＥＬパネル１から構成されているが、例えば、図１１（ａ）に示すように、突片部４と凹み部５が嵌合しない形状に形成された有機ＥＬパネル１から構成されていてもよい。この図示例では、突片部４の平面視外形が弧状に形成され、凹み部５の内端５ａが直線状に形成されている。もっとも、非嵌合形状は、この組み合わせ以外でもよい。なお、図１１（ｂ）は、この有機ＥＬパネル１の複数を配列させた有機ＥＬ装置１０を示す。
【００４５】
［有機ＥＬ装置の第５実施形態］
上記第１実施形態の有機ＥＬ装置１０は、突片部４と凹み部５がそれぞれ複数形成されている有機ＥＬパネル１から構成されているが、例えば、図１２（ａ）に示すように、第１側部３１に１つの突片部４と１つの凹み部５が形成され、且つ、第２側部３２に１つの突片部４と１つの凹み部５が形成された有機ＥＬパネル１から構成されていてもよい。図示例では、第１側部３１には、平面視矩形状の突片部４及び凹み部５が、それぞれ第１側部３１の長さの約半分で形成されている。同様に、第２側部３２には、平面視矩形状の突片部４及び凹み部５が、それぞれ第２側部３２の長さの約半分で形成されている。なお、図１２（ｂ）は、この有機ＥＬパネル１の複数を配列させた有機ＥＬ装置１０を示す。
また、突片部４及び凹み部５が第１側部３１及び第２側部３２にそれぞれ１つずつ形成される場合、例えば、図１３（ａ）に示すように、突片部４の平面視外形が第１側部３１及び第２側部３２の長さよりも少し短い三角形状にされ、且つ、凹み部５の平面視外形が第１側部３１及び第２側部３２の長さよりも少し短い三角形状にされていてもよい。なお、図１３（ｂ）は、この有機ＥＬパネル１の複数を配列させた有機ＥＬ装置１０を示す。
また、図１４（ａ）に示すように、第１側部３１に１つの突片部４と２つの凹み部５が形成され、且つ、第２側部３２に２つの突片部４と１つの凹み部５が形成されている有機ＥＬパネル１を用いてもよい。なお、図１４（ｂ）は、この有機ＥＬパネル１の複数を配列させた有機ＥＬ装置１０を示す。
【００４６】
［有機ＥＬ装置の第６実施形態］
上記第１実施形態の有機ＥＬ装置１０は、第１側部３１及び第２側部３２のそれぞれに突片部４と凹み部５が形成されている有機ＥＬパネル１から構成されているが、例えば、図１５（ａ）に示すように、第１側部３１（１つの側部）のみに突片部４と凹み部５が形成された有機ＥＬパネル１から構成されていてもよい。この場合、例えば、第１側部３１の長さの約半分の領域に第１端子２１ａが設けられ、残る約半分の領域に第２端子２２ａが設けられる。
１つの側部のみに突片部４と凹み部５が設けられる場合、図１５（ｂ）に示すように、第１有機ＥＬパネル１Ａに対して第２有機ＥＬパネル１Ｂを１８０度回転させ、第１有機ＥＬパネル１Ａと第２有機ＥＬパネル１Ｂの側部３１，３１同士を対向させて配列することにより、有機ＥＬ装置１０を構成できる。
【００４７】
［有機ＥＬ装置の他の実施形態］
上記各実施形態の有機ＥＬ装置１０は、平面視外形が同形の複数の有機ＥＬパネル、好ましくは、外形のみならず構造を含めた全体として同一の複数の有機ＥＬパネルから構成されているが、平面視外形が異なる複数の有機ＥＬパネルから構成されていてもよい（図示せず）。もっとも、製造効率を考慮すると、本発明の有機ＥＬ装置は、全体として同一の複数の有機ＥＬパネルから構成されていることが好ましい。
【産業上の利用可能性】
【００４８】
本発明の有機ＥＬ装置は、照明装置やディスプレイ装置などとして利用できる。
【符号の説明】
【００４９】
１  有機ＥＬパネル
１Ａ  第１有機ＥＬパネル
１Ｂ  第２有機ＥＬパネル
２１ａ  第１端子
２２ａ  第２端子
３１  第１側部
３２  第２側部
４  突片部
４ａ  突片部の外端
５  凹み部
５ａ  凹み部の内端
１０  有機ＥＬ装置
Ｗ１  各有機ＥＬパネルの非発光領域の幅
Ｗ２  有機ＥＬ装置の非発光領域の幅
【図１】
2016225232.tif 000003
【図２】
2016225232.tif 000004
【図３】
2016225232.tif 000005
【図４】
2016225232.tif 000006
【図５】
2016225232.tif 000007
【図６】
2016225232.tif 000008
【図７】
2016225232.tif 000009
【図８】
2016225232.tif 000010
【図９】
2016225232.tif 000011
【図１０】
2016225232.tif 000012
【図１１】
2016225232.tif 000013
【図１２】
2016225232.tif 000014
【図１３】
2016225232.tif 000015
【図１４】
2016225232.tif 000016
【図１５】
2016225232.tif 000017